(57)【特許請求の範囲】
【請求項１】
三脚のヘッドにかぶせて使用する三脚用ヘッドカバーであって、前記三脚は、カメラが装着される三脚ヘッドを備え、前記三脚用ヘッドカバーは、前記カメラを露出させつつ前記三脚ヘッドがすっぽりかぶさる形状であり、三脚パーン棒部分を覆う、ビデオ撮影用三脚用ヘッドカバー。
【請求項２】
前記三脚は、前記三脚パーン棒を備え、
前記三脚用ヘッドカバーは、前記三脚用ヘッドカバーの上部に設けられた上部巾着部と、前記三脚用ヘッドカバーの下部に設けられた下部巾着部と、前記三脚パーン棒を挿入する部位に設けられたパーン部巾着部を有して個々に絞ることができる、請求項１に記載の三脚用ヘッドカバー。
【請求項３】
内部に保温カイロを内蔵できるように構成されている、請求項１又は請求項２に記載の三脚用ヘッドカバー。
【請求項４】
前記ヘッドカバーを前記三脚に取り付ける取付手段は、結合手段を有するベルトバックルである、請求項１〜請求項３の何れか１つに記載の三脚用ヘッドカバー。
【請求項５】
前記結合手段は、凹状バックルと凸状バックルからなる、請求項４に記載の三脚用ヘッドカバー。
【請求項６】
前記結合手段は、面ファスナーである、請求項４に記載の三脚用ヘッドカバー。
【請求項７】
前記三脚用ヘッドカバー内部に、三脚ヘッドとの接触面に緩衝材を備える、請求項１〜請求項６の何れか１つに記載の三脚用ヘッドカバー。
【請求項８】
前記ヘッドカバーの収納本体は、前記ヘッドカバーを展開可能にする展開部を備え、前記展開部で前記ヘッドカバーを開いて前記ヘッドカバーを前記三脚のヘッドに取り付け可能にする、請求項１〜請求項７の何れか１つに記載の三脚用ヘッドカバー。
【請求項９】
前記展開部は、スライドファスナーである、請求項８に記載の三脚用ヘッドカバー。
【請求項１０】
前記ヘッドカバーの収納本体は、表面の周縁に反射部材を設けることを特徴とする請求項１〜請求項９の何れか１つに記載の三脚用ヘッドカバー。
【発明の詳細な説明】
【技術分野】
【０００１】
本発明は、ビデオ撮影用三脚に取り付ける三脚用ヘッドカバーに関するものである。
【背景技術】
【０００２】
従来から、野外撮影したり、寒冷地での撮影するなど、種々の対象物を撮影する際にビデオ三脚を使用して撮影することが行われている。
【０００３】
そして、野外に於ける撮影、寒冷地撮影する際、三脚等を組立て、ビデオカメラを装着するとともに、雨等撮影においてレインカバーや寒さ対策用のカイロを用意しておく必要があった。
【０００４】
これらのアクセサリーは、撮影状況に応じて主としてカメラを保護するために用いられ、現場の状況が急な雨天となったときには、カメラや三脚を保護する必要があった。
【発明の概要】
【発明が解決しようとする課題】
【０００５】
しかしながら、カメラを覆うレインカバーはカメラ保護が一番の目的であり、三脚ヘッドは露出されていて、雨、ほこり、寒さ対策はされないという課題があった。
【課題を解決するための手段】
【０００６】
本発明の三脚用ヘッドカバーは、三脚のヘッドにかぶせて使用する三脚用ヘッドカバーであって、前記三脚用ヘッドカバーは、三脚ヘッドがすっぽりかぶさる形状であり、三脚パーン棒部分を覆う。
【０００７】
本発明によれば、三脚ヘッドを雨、ほこり、寒さなどから保護することが可能である。
【０００８】
好ましくは、このヘッドカバーの固定部は、三脚パーン棒から差し込む部とヘッドをかぶせる筒状の部分とその筒状の両端をリング状につぼめる巾着部と筒状の真ん中を保温カイロを入れた際に三脚ヘッドと密着させるためのベルトを有し、三脚ヘッドに固定し、その筒状の両端をリング状につぼめる部とを合せて前記固定台の前記台座板部に前記収納本体の底部を絞って固定できることを特徴とする。
【０００９】
好適には、筒状の固定部は、凹状バックルと凸状バックルからなるベルトバックルであることがある。
【００１０】
好適には、筒状の固定部は、面ファスナーであることもある。
【００１１】
好適には、筒状の固定部は、ゴムの巾着であることもある。
【００１２】
好適には、筒状の固定部は、ファスナーであることもある。
【００１３】
好適には、筒状の固定部は、前記三脚の脚との接触面に緩衝材を設けることを特徴とする。
【００１４】
好適には、筒状の固定部は、スライドファスナーを有してケースサイドを開口可能とすることを特徴とする。
【００１５】
好適には、筒状の固定部は、収納する物品に応じて、ウレタン等による緩衝材である中敷きを設けていることを特徴とする。
【００１６】
好適には、筒状の固定部は、  周縁に反射部材を設けることにより暗闇であっても、収納本体を容易に見つけることができる。
【００１７】
好適には、筒状の固定部は、表面に撥水素材を設けることを特徴とする。
【発明の効果】
【００１８】
本発明によれば、業務用カメラ機器用の三脚から比較的軽量なカメラ用の三脚まで幅広い三脚に三脚ヘッドカバーを簡単に着脱することができ、必要に応じて保温カイロを入れた本体を即座に持ち運びを可能とした三脚用ヘッドカバーを提供することができる。
【００１９】
そして、本発明の三脚ヘッドカバーは、三脚のヘッドの角度が上下に変化しても所定の傾斜を利用して巾着装着により、確実に三脚に取り付けて、本体使用保持させることができる。
【００２０】
また、本発明の三脚ヘッドカバーは、三脚に巻き付けるベルトをバックルで結合するようにすれば、簡単でしかも確実に結合させることができる。
【００２１】
そして、本発明の三脚ヘッドカバーは、三脚に巻き付けるベルトを面ファスナーで結合するようにすれば、安価な構成とすることができる。
【００２２】
また、本発明の三脚ヘッドカバーは、本体の巾着構造でしぼり、開口状態から閉口状態へと素早く変化させることができるので、野外使用時に悪天候になったときでも物品に対して水滴や砂塵の付着を防止することができる。
【００２３】
さらに、本発明の三脚ヘッドカバーは、収納本体の内部に物緩衝材Ｅとしての中敷きを設けることにより、運搬時の振動によるキズや破損等を防止することができる。
【００２４】
また、本発明の三脚ヘッドカバーは、収納本体の周縁に反射部材を設けることにより暗闇であっても、収納本体を容易に見つけることができる。
【図面の簡単な説明】
【００２５】
【図１】本発明の第１実施形態に係る三脚ヘッドカバーを三脚に組み付けた時の斜視図である。
【図２】本発明の第１実施形態に係る三脚ヘッドカバーの斜視図である。
【図３】本発明の第２実施形態に係る三脚ヘッドカバーの斜視図である。
【図４】本発明の第１実施形態に係る三脚ヘッドカバーと三脚にカメラを装着して実際に使用する際を写した写真である。
【発明を実施するための形態】
【００２６】
以下、本発明の実施形態を図面を用いて説明する。図１〜図２は、実施形態に係る三脚ヘッドカバーの概要について説明するための図である。本実施形態の三脚用ヘッドカバーは、重量のある業務用ビデオカメラの三脚から比較的軽量なスチルカメラに内蔵されたビデオ機能付カメラ用の三脚まで幅広い三脚にかぶせて、簡単に着脱することができ、寒冷地などでは内側に保温カイロが入り、運動会等にはほこりから三脚ヘッドを守り、雨天時には水しぶきから三脚ヘッドを保護し、寒冷地では保温カイロ等を併用して三脚の動きをスムーズにさせるような三脚ヘッドカバーを提供することを目的とする。
【００２７】
三脚ヘッドカバーＡＡは、図１〜図２に示すように、スライドファスナー（展開部）１でヘッドカバーＡＡの収容本体を展開した状態で、三脚パーン棒Ｂに三脚ヘッドカバーＡＡのパーン棒巾着部（第二巾着部）Ａ２から装着して三脚ヘッドＤの上部より覆い被せて装着する。その後、スライドファスナー１を閉じる。次に、円柱形状をした上部巾着部（第一巾着部）Ａ１と、パーン棒巾着部（第二巾着部）Ａ２、円柱形状をした下部巾着部（第三巾着部）Ａ３のひもを絞って固定する。
【００２８】
ヘッドカバーＡＡは表皮として表面を撥水加工や防水加工を施した素材で形成している。
【００２９】
三脚ヘッドカバーの上部には、裏側部分に三脚ヘッドＤとの接触面として滑り止めのストッパー部材である緩衝材Ｅを設けている。
【００３０】
本発明の第２実施形態では、図３に示すように、各ベルトＨ１、Ｈ２、Ｈ３、Ｈ４には、夫々に凹状バックル１１、１２と凸状バックル１３、１４とを設けてあり、各ベルトはワンタッチで接続可能とされている。また、各ベルト１５、１６には、そのベルト長を調節可能なように各凸状バックルと一体とされるベルト長調整部を設けており、これにより、巻き付ける三脚Ｄの三脚ヘッドのの形状、大きさに応じて各ベルトの長さを調整可能とされている。なお、各ベルトの結合手段はバックルに限らず、面ファスナー、マジックテープでもよい。
【００３１】
これらのアクセサリーは、構図変更等により撮影位置の変化をするとき、又は、現場の状況が急な雨天となったときには、直ちに、装着でき、砂塵、水滴等から保護される。
【００３２】
そして、ＡＡは、内部に緩衝材Ｅを設けているものもある。緩衝材Ｅは運搬時の振動によるキズや破損等から保護するものである。
【００３３】
また、中敷きＥＩはマジックテープで脱着でき、緩衝材を配置して三脚ヘッドのキズや破損等から保護するものである。
【００３４】
なお、本発明のいくつかの実施形態を説明したが、これらの実施形態は、例として提示したものであり、発明の範囲を限定することは意図していない。これら実施形態は、その他の様々な形態で実施されることが可能であり、固定する構成として説明してきたが、三脚ヘッドに取付を確保すれば、何れか一方のみを有して、巾着だけで取付けるような構成としても構わない。
【００３５】
以上のように本実施形態によれば、業務用ビデオ三脚から比較的軽量なカメラ用の三脚まで幅広い三脚ＡＡに三脚ヘッドカバーを簡単に着脱することができ、寒冷地などでは保温カイロ等を装着できる三脚ヘッドカバーを提供することができる。
【００３６】
そして、本実施形態によれば、三脚ヘッドカバーを巾着機能を利用して確実に取り付けて、運用することができる。
【００３７】
また、本実施形態によれば、三脚ヘッドＤに巻き付ける三脚ヘッドカバーのベルトをバックルで結合するようにすれば、簡単でしかも確実に結合させることができる。
【００３８】
そして、本実施形態によれば、巾着機構により素早く装着することができるので、野外使用時に悪天候になったときでも物品に対して水滴や砂塵の付着を防止することができる。
【００３９】
そして、本実施形態によれば、収納本体ＡＡの内部に緩衝材としての中敷きＥを設けることにより、運搬時の振動によるキズや破損等を防止することができる。
【００４０】
また、本実施形態によれば、収納本体ＡＡの周縁に反射部材Ｆ１、Ｆ２、Ｆ３を設けることにより暗闇であっても、三脚本体を容易に見つけることができる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【００４２】
ＡＡ    三脚ヘッドカバー                      
Ａ１    第一巾着部
Ａ２    第二巾着部
Ａ３    第三巾着部
Ｂ        パーン棒
Ｃ      三脚                      
Ｄ      三脚ヘッド
Ｅ        緩衝材                    
Ｆ１      第１反射部材                    
Ｆ２      第２反射部材                    
Ｆ３      第３反射部材                                        
Ｇ        保温カイロ入
Ｈ１  ベルト  
Ｈ２    ベルト  
Ｈ３    ベルト
Ｈ４    ベルト
１１    凹バックル
１２    凹バックル
１３    凸バックル
１４    凸バックル
１５    ベルト長調整部１５
１６  ベルト長調整部１６
ＫＫ      参考装着図
【要約】
【課題】  業務用ビデオカメラ用三脚等重量のある三脚から比較的軽量なビデオカメラ用の三脚まで幅広い三脚に簡単に着脱することができ、三脚のヘッド保護、雨しぶきからの保護、輸送中のヘッド保護用三脚ヘッドカバーを提供する。
【解決手段】  三脚ヘッドカバーＡＡは、カメラ底部と三脚の間の三脚ヘッドにＢのバーン棒を通して三脚ヘッドにかぶせ、上部Ａ１  第１巾着部及び下部第３巾着部及びパーン部分第２巾着部を絞り固定する。少なくとも上部第１巾着部を絞る。寒冷地ではＧに保温カイロを入れることを可能にした。本体上部、下部、パーン棒の絞り部分に反射部材を設けた。
【選択図】図１【図１】
0005947968.tif 000002
【図２】
0005947968.tif 000003
【図３】
0005947968.tif 000004
【図４】
0005947968.tif 000005